(57)【要約】      （修正有）【課題】着用美観を有し、着用時間が短く、背部の筋肉が萎縮する現象がなく、側湾が、４０度以内の治療に制限されなく、手術無しで、脊椎の湾曲が悪化することを防止でき、積極に矯正効果が得られ、また、脊椎椎体回転を矯正する機能を有する脊椎矯正背もたれを提供する。【解決手段】主として、矯正背もたれの内面において、患者の脊椎側湾と椎体回転の部位に対応する位置に、複数の形状や大小が異なるエアバッグを設置し、エアバッグのニップルに対応する位置に、貫通穴が形成され、エアバッグに、軟質である防護パッドが覆われ、エアバッグのニップルを、貫通穴に貫通する。【選択図】図３
0003173281.tif 000002
【実用新案登録請求の範囲】
【請求項１】
主として、矯正背もたれに、開口が形成され、該開口により、矯正背もたれが外へ開かれて患者の身に着用でき、また、開口の二つの対向する両辺に、対応するように、複数の扣合部材が設けられ、該扣合部材により、開口の間隔や緊張度を調整でき、矯正背もたれの内面において、患者の脊椎側湾の突出部位や該突出部位に対応するもう一側の上端と下端及び椎体回転の部位に対応する位置に、複数の形状や大小が異なるエアバッグが設けられ、エアバッグに、ニップルが設けられ、矯正背もたれにおいて、エアバッグのニップルに対応する位置に、貫通穴が形成され、ニップルが、貫通穴に貫通し、エアバッグに、軟質の防護パッドが覆われ、
ことを特徴とする脊椎矯正背もたれ。
【考案の詳細な説明】
【技術分野】
【０００１】
本考案は、脊椎矯正背もたれに関し、特に、エアバッグを矯正背もたれの内面に設置し、医療にあわせて脊椎側湾や脊椎椎体回転の変形を矯正できるものに関する。
【背景技術】
【０００２】
一般の脊椎側湾や湾曲変形の時、専門者により、診断して治療され、また、機能回復訓練を受けて、脊椎を、正常位置に戻るように回復させ、一般として、脊椎側湾が、２０度以下であれば、機能回復訓練と観察だけでよく、側湾が、２０度乃至４０度であれば、機能回復訓練だけでは足りなくなり、脊椎背もたれを合わせて治療することが考慮され、また、側湾が、４０度以上であれば、機能回復訓練と背もたれの治療効果が良くないため、手術で、矯正と固定を行い、しかしながら、手術の後遺症やリスクが大きいため、大部分は、非手術性である機能回復訓練や背もたれの治療を、優先に選択し、しかし、従来の背もたれ１は、図１のように、可塑性であるプラスチック板で、患者の身形に合わせて、背もたれ本体１０を作成し、該背もたれ本体１０に、背もたれ本体１０を、外へ向かって開いてユーザーの身に着用するための開口１１が形成され、開口１１の二つの対向する両辺に、相対的に複数の締着バンド１２が設置され、それにより、ユーザーが着用した後、身に締着することができ、また、背もたれ本体１０の一側に、患者の側湾した身を固定するための支持フレーム１３が設けられ、支持フレーム１３と背もたれ本体１０に、背もたれ本体１０を患者の身に固定するための弾性バンド１４があり、該背もたれ１を着用することにより、脊椎を支持固定でき、脊椎が更に変形することを防止できる。
【０００３】
しかしながら、一般の背もたれ１は、次の欠点がある。
【０００４】
１、一般の背もたれは、脊椎と固定と支持する機能だけを有し、その目的が、脊椎の湾曲が更に悪化することを防止し、背もたれを取り外すと、元の側湾角度に戻るか悪化するため、矯正の効果が得られない。
【０００５】
２、着用する時、その標準着用時間が長いため（毎日２３時間）、不快感が発生する。
【０００６】
３、着用時間が長いため、背部の筋肉が硬くなるか萎縮する。
【０００７】
４、脊椎側湾が４０度以内の治療に適合するが、脊椎椎体回転を矯正する機能がなく、側湾４０度以上は、手術で改善すべく。
【０００８】
５、衣服の外に着用され、着用の美観性がなく、患者が、着用意欲を有しないため、一般の脊椎背もたれの治療効果が良くない。
【考案の開示】
【考案が解決しようとする課題】
【０００９】
本考案の主な目的は、着用美観を有し、着用時間が短く、背部の筋肉が萎縮する現象がなく、側湾が、４０度以内の治療に制限されなく、手術無しで、脊椎の湾曲が悪化することを防止でき、積極に矯正効果が得られ、また、脊椎椎体回転を矯正する機能を有する脊椎矯正背もたれを提供する。
【課題を解決するための手段】
【００１０】
本考案は、主として、矯正背もたれに、開口が形成され、該開口により、矯正背もたれが外へ開かれて患者の身に着用でき、また、開口の二つの対向する両辺に、対応するように、複数の扣合部材が設けられ、該扣合部材により、開口の間隔や緊張度を調整でき、矯正背もたれの内面において、患者の脊椎側湾の突出部位や該突出部位に対応するもう一側の上端と下端及び椎体回転の部位に対応する位置に、複数の形状や大小が異なるエアバッグが設けられ、エアバッグに、ニップルが設けられ、矯正背もたれにおいて、エアバッグのニップルに対応する位置に、貫通穴が形成され、ニップルが、貫通穴に貫通し、エアバッグに、軟質の防護パッドが覆われ。
【考案を実施するための形態】
【００１１】
以下、本考案の予期目的や効果及び採用した技術手段について、より良い実施例を挙げて、詳しく説明する。
【００１２】
本考案の実施例は、図２〜図６のように、主として、矯正背もたれ２と少なくとも一つのエアバッグ３及び少なくとも一つの防護パッド４からなり、専門者により、Ｘ射線で、患者の脊椎を照射して、変形の状況を把握し、また、患者の身形に基づいて、石膏模型ａを作り（図２Ａのように）、該石膏模型ａが、患者の身形に基づいて作成されるため、湾曲形状になり、また、該石膏模型ａについて、正常形状に修正し（図２Ｂのように）、凹む部位ａ１について、石膏で補填し、突出する部位ａ２について、削除し、修正された後の石膏模型Ａが形成され、そして、上記の石膏模型Ａに、加熱された後の可塑性プラスチック板ｂを覆い（図２Ｃのように）、該プラスチック板ｂが、冷却されると、矯正背もたれ２が形成され（図３のように）、該矯正背もたれ２の正面において、ユーザーの胸部に対応する位置に、貫通穴２０が形成され、裏側に、開口２１が形成され、該開口２１により、矯正背もたれ２を外へ開かれて患者の身に着用でき、また、開口２１の二つの対向する両辺に、対応するように、複数の扣合部材２２が設けられ、該扣合部材２２により、開口２１の間隔や緊張度を調整でき、矯正背もたれ２に、複数の貫通穴２３が設けられ、また、矯正背もたれ２に、複数の通気孔２４が設けられ、矯正背もたれ２の内面に、複数の形状や大小が異なるエアバッグ３が設けられ、それらのエアバッグ３が、メインエアバッグ３１とサブエアバッグ３２であり、該メインエアバッグ３１とサブエアバッグ３２に、ニップル３１０、３２０が設けられ、該ニップル３１０、３２０が、矯正背もたれ２の貫通穴２３に貫通し、ニップル３１０、３２０に、カバー３１１、３２１が設けられ、エアバッグ３に、軟質である防護パッド４が覆われ、上記の構造により、脊椎矯正背もたれが構成される。
【００１３】
脊椎側湾の患者は、専門者により、Ｘ射線写真を撮影して診断した後、Ｘ射線写真に基づいて、患者脊椎ｃの湾曲の変形角度ｄ１を測定でき（図７のように）、また、患者の身形に合わせて、修正された後の矯正背もたれ２を作り、また、該矯正背もたれ２の内面において、脊椎ｃの湾曲の突出部位ｃ１に対応する位置に、メインエアバッグ３１が設けられ、また、矯正背もたれ２の内面において、該突出部位ｃ１に対応するもう一側の上端ｃ２と下端ｃ３に（即ち、湾曲の変形角度ｄ１の起点と終点）、サブエアバッグ３２が設けられ、そして、該メインエアバッグ３１とサブエアバッグ３２に、軟質である防護パッド４が覆われ、これにより、皮膚が、直接にメインエアバッグ３１やサブエアバッグ３２に接触して不快感を発生することを防止でき、そして、該矯正背もたれ２を病患の身に着用させ、矯正背もたれ２の内面に設けられたメインエアバッグ３１とサブエアバッグ３２が、それぞれ、病患脊椎ｃの湾曲の突出部位ｃ１と該突出部位ｃ１に対応するもう一側の上端ｃ２と下端ｃ３に位置し、また、矯正背もたれ２上の扣合部材２２を扣合して締着すると、矯正背もたれ２が、安定的に患者の身に着用され、また、矯正背もたれ２の貫通穴２３に貫通するニップル３１０、３２０から、気体をメインエアバッグ３１とサブエアバッグ３２内に注入し、各位置のメインエアバッグ３１とサブエアバッグ３２のエア圧力が、専門者によって決められ、突出部位ｃ１の位置に対応する主施力端のメインエアバッグ３１に空気が注入されると、脊椎ｃの突出部位ｃ１に付勢する圧力が発生して、脊椎ｃの突出部位ｃ１を元の位置にか元の位置の近くに付勢して、大幅に脊椎ｃの変形角度ｄ２を縮小でき（図８のように）、対応するもう一側の上端ｃ２と下端ｃ３に位置するサブエアバッグ３２に、比較的に小さい付勢圧力が発生し、該上端ｃ２と下端ｃ３に位置する輔助施力端のサブエアバッグ３２により、脊椎ｃの突出部位ｃ１が、主施力端のメインエアバッグ３１によって付勢される時、もう一側へ変位して変形することを防止でき、また、突出部位ｃ１の上端ｃ２と下端ｃ３の変形を矯正でき、患者の脊椎ｃの側湾部位が、胸椎部位ｃ４にある場合（図９のように）、或いは患者の脊椎ｃの側湾部位が、腰椎部位ｃ５にある場合（図１０のように）、或いは患者の脊椎ｃの側湾が、Ｓ型である場合（二つの主要な突出部位ｃ１を有する）（図１１のように）、突出部位ｃ１に対応する位置に、そして、その上端ｃ２や下端ｃ３の対応する位置に、エアバッグ３（メインエアバッグ３１、サブエアバッグ３２）を設置して、脊椎ｃの突出部位ｃ１と上端ｃ２及び下端ｃ３の変形を矯正でき、これにより、積極に、脊椎ｃの側湾を矯正する効果が得られ、勿論、患者が、定期に回診して、脊椎ｃの変形角度ｄ１の回復状況を検査してもらって、専門者により、患者の脊椎ｃの回復角度に基づいて、矯正背もたれ２内面のメインエアバッグ３１とサブエアバッグ３２内の圧力を調整し、調整する時、矯正背もたれ２に設けられた貫通穴２３に貫通したニップル３１０、３２０を利用し、専門者が、便利に、直接に矯正背もたれ２の外部から各エアバッグ３に対してエアの注入や釈放を行ってエアバッグ３の内部圧力を調整でき、矯正背もたれ２を、患者の身から取り外すことが必要しなく、即ち、便利に、空気の注入や釈放を行え、使用上、非常に便利であり、また、脊椎ｃの異なる変形角度ｄ１に対して、異なる圧力で矯正すべくため、各エアバッグ３のメインエアバッグ３１とサブエアバッグ３２に対して充填した圧力を制御して、変形した脊椎ｃに抵当に付勢でき、これにより、脊椎ｃの変形が更に悪化することを防止でき、また、脊椎側湾を矯正する効果が得られる。
【００１４】
患者は、為脊椎ｃの側湾だけでなく、椎体ｃ６回転を重ねる病症であれば、図１２〜図１４のように、矯正背もたれ２の内面において、脊椎ｃの側湾部位に、複数のエアバッグ３が設けられ（図１２のように、その湾曲に合わせて、メインエアバッグ３１とサブエアバッグ３２を設置する）、また、矯正背もたれ２の内面において、その脊椎ｃ椎体ｃ６の回転角度ｃ７に対応する位置にも、複数のエアバッグ３が設けられ（図１３の胸椎部位ｃ８の断面概念図と図１４の腰椎部位ｃ９の断面概念図を参照しながら）、各エアバッグ３内の圧力により、変形した脊椎ｃに対して、適当に付勢し、上記のような上記の脊椎ｃ側湾と椎体ｃ６の回転を矯正するように、矯正背もたれ２の内面において、脊椎ｃの裏側や外側或いは裏外側等から矯正する部位に、矯正するための複数のエアバッグ３（メインエアバッグ３１、サブエアバッグ３２）が設けられ、また、エアバッグ３内に、適当な圧力を充填して、エアバッグ３により、脊椎ｃに付勢する圧力が発生し、これにより、脊椎ｃの突出部位ｃ１や椎体ｃ６の回転角度ｃ７を、元の位置や下の位置の近くに付勢でき、三次元空間の立体圧力により脊椎ｃに付勢して、また、矯正医療や他の機能回復訓練を行い、確実に脊椎椎体回転を矯正できる効果が得られる。
【００１５】
患者が、本考案に係る矯正背もたれ２を使用して、脊椎を矯正する場合、脊椎ｃが、矯正されて、少しずつ正常位置に回復する時、脊椎が、回復することにより、上へ伸び、そのため、患者の身形は、矯正過程とともに、身長が少しずつ高くなり、それに伴って、矯正背もたれ２内のエアバッグ３の位置も、患者の身長の変化に合わせて調整しなければならなく、身形の変化が大きい場合、更に、患者の矯正された身形に合わせて新規の矯正背もたれ２を作って、より良い矯正効果が得られる。
【００１６】
本考案によれば、次の利点が得られる。
【００１７】
１、脊椎の矯正背もたれの中、手術が必要する患者にも使えるただ一つの背もたれであり、悪化性である脊椎側湾の患者に対して、積極的に、矯正治療を行い、手術しなくても、有効に、変形角度を制御でき、悪化しなく、確実に、積極的に脊椎側湾と脊椎椎体逆転を、有効に矯正する治療効果が得られる。
【００１８】
２、脊椎側湾が４０度以内の治療に限られない。
【００１９】
３、手術や薬物あるいは注射などは、必要しなく、手で治療することに合わせて、本考案に係る矯正背もたれを利用すれば、患者を矯正でき、手術のリスクを回避できる。
【００２０】
４、矯正期間において、専門者が、矯正背もたれの貫通穴から、直接にエアバッグに対して、加圧や減圧を行って内部圧力を調整できるため、矯正背もたれを、患者の身から取り外さなくても、専門者が、便利に内部圧力を調整できる。
【００２１】
５、病患が矯正背もたれを着用する時間は、毎日に、５〜８時間を低減でき（従来の矯正背もたれは、毎日に、２３時間を着用するが必要であり、本考案に係る矯正背もたれは、毎日に、１５〜１８時間を着用すればよい）、治療プログラムを短縮できる。
【００２２】
６、背部の筋肉が萎縮する現象が発生しない。
【００２３】
７、該矯正背もたれは、上着の下に着用され、着用する時、より美観になり、患者の着用意欲が向上されて、顕著の矯正効果が得られる。
【００２４】
そのため、本考案は、より進歩的かつより実用的で、法に従って実用新案登録請求を出願する。
【００２５】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２６】
【図１】従来の背もたれの概念図
【図２Ａ】本考案の実施例において、病患の身形に合わせて作成した石膏模型の概念図
【図２Ｂ】本考案の実施例において、石膏模型を正常形状に修正した状態の石膏模型概念図
【図２Ｃ】本考案の実施例において、修正された石膏模型に、プラスチック板を覆って矯正背もたれを作成したときの概念図
【図３】本考案の実施例の立体分解図
【図４】本考案の実施例において、エアバッグを矯正背もたれの内面に実装した時の立体図
【図５】本考案の実施例の他の角度の立体図
【図６】本考案の実施例の立体組み立て図
【図７】本考案の実施例において、脊椎側湾を矯正する時、エアバッグに空気を注入していない状態の概念図
【図８】本考案の実施例において、脊椎側湾を矯正する時、エアバッグに空気を注入して脊椎を矯正する時の概念図
【図９】本考案の実施例において、胸椎部位の脊椎側湾を矯正する時の概念図
【図１０】本考案の実施例において、腰椎部位の脊椎側湾を矯正する時の概念図
【図１１】本考案の実施例において、Ｓ形脊椎側湾を矯正する時の概念図
【図１２】本考案の実施例において、同時に脊椎側湾と椎体回転を矯正する時の概念図
【図１３】本考案の実施例において、同時に脊椎側湾と椎体回転する胸椎部位を矯正する時の上面断面概念図
【図１４】本考案の実施例において、同時に脊椎側湾と椎体回転する腰椎部位を矯正する時の上面断面概念図
【符号の説明】
【００２７】
１      背もたれ
１０    背もたれ本体
１１    開口
１２    締着バンド
１３    支持フレーム
１４    弾性バンド
２      矯正背もたれ
２０    貫通穴
２１    開口
２２    扣合部材
２３    貫通穴
２４    通気孔
３     
エアバッグ
３１    メインエアバッグ
３１０  ニップル
３１１  カバー
３２    サブエアバッグ
３２０  ニップル
３２１  カバー
４     
防護パッド
ａ      石膏模型
ａ１    凹む部位
ａ２    突出部位
Ａ      修正後の石膏模型
ｂ      プラスチック板
ｃ      脊椎  
ｃ１    突出部位
ｃ２    上端
ｃ３    下端
ｃ４    胸椎部位
ｃ５    腰椎部位
ｃ６    椎体
ｃ７    回転角度
ｃ８    胸椎部位
ｃ９    腰椎部位
ｄ１    変形角度
ｄ２    変形角度
【図１】
0003173281.tif 000003
【図２Ａ】
0003173281.tif 000004
【図２Ｂ】
0003173281.tif 000005
【図２Ｃ】
0003173281.tif 000006
【図３】
0003173281.tif 000007
【図４】
0003173281.tif 000008
【図５】
0003173281.tif 000009
【図６】
0003173281.tif 000010
【図７】
0003173281.tif 000011
【図８】
0003173281.tif 000012
【図９】
0003173281.tif 000013
【図１０】
0003173281.tif 000014
【図１１】
0003173281.tif 000015
【図１２】
0003173281.tif 000016
【図１３】
0003173281.tif 000017
【図１４】
0003173281.tif 000018